(57)【要約】【課題】防音壁の外観をリフレッシュでき、方法が容易で、且つ壁面の有効活用に繋がる、防音壁のリフレッシュ方法を提供する。【解決手段】防音パネル１及び支持体２を用いて防音壁１０を形成するに当たり、予め固定手段であるボルト１３を外すのみで防音パネル１は支持体２から脱離させることができるようにしておくことで、防音パネル１は相隣る支持体２のサイドフレーム３間に前面側又は背面側から挿入可能となされ、防音壁の劣化や老朽化、陳腐化等により既設の防音パネル１に交換の必要が生じた場合にも、任意の時期に、必要な箇所の防音パネル１を煩雑な手間を要することなく容易に交換し防音壁１０をリフレッシュすることが可能である。【参照図】図３2004011358.tif 000002
【特許請求の範囲】
【請求項１】
防音パネルを用いて形成した防音壁のリフレッシュ方法であって、予め交換可能な取付手段を用いて支持体に取り付けておいた既設の防音パネルを、前記取付手段と共通の取付手段を有する新たなパネルに交換することを特徴とする防音壁のリフレッシュ方法。
【請求項２】
共通の取付手段は、前記支持体に予め取り付けられたサイドフレームと、相隣る支持体のサイドフレーム間に前面側又は背面側から挿入可能なパネルを前記サイドフレームに脱着可能に固定する固定手段とからなることを特徴とする請求項１に記載の防音壁のリフレッシュ方法。
【請求項３】
前記新たなパネルは、大きさや機能等、形態の異なるものを予め複数種類用意し、それらの中から一つ以上のパネルを選択し、該選択したパネルを取り付けることを特徴とする請求項１又は２に記載の防音壁のリフレッシュ方法。
【請求項４】
前記新たなパネルは、吸音、遮音、透光、情報表示、太陽光発電、道路有害物質の捕集からなる群から選ばれた少なくとも１つの機能を有することを特徴とする請求項１〜３のいずれかに記載の防音壁のリフレッシュ方法。
【請求項５】
前記新たなパネルの内、少なくとも一つは太陽光発電の機能を有するパネルであり、該パネルは、両面受光型の太陽電池により発電されるものであることを特徴とする請求項１〜４のいずれかに記載の防音壁のリフレッシュ方法。
【請求項６】
太陽電池は、透明板上に遮光性の太陽電池セルが取り付けられたものであって、該太陽電池セルは透明板の透視性を損なわない程度に設けられたものであることを特徴とする請求項５に記載の防音壁のリフレッシュ方法。
【請求項７】
前記新たなパネルの内、少なくとも一つは道路有害物質を捕集する機能を有するパネルであり、該パネルは、窒素酸化物、硫黄酸化物、浮遊粒子状物質からなる群から選ばれた少なくとも１つを捕集するものであることを特徴とする請求項１〜４のいずれかに記載の防音壁のリフレッシュ方法。
【請求項８】
前記新たなパネルの内、少なくとも一つのパネルは、その外面に光触媒が担持されていることを特徴とする請求項１〜７のいずれかに記載の防音壁のリフレッシュ方法。
【発明の詳細な説明】
【０００１】
【発明の属する技術分野】
本発明は、防音壁のリフレッシュ方法に関するものである。
【０００２】
【従来の技術】
従来、防音壁は道路、鉄道等の側縁に立設されて車両、列車等の騒音を軽減させるものであり、吸音機能、遮音機能のいずれか、またはその両方を兼備することで周辺への騒音の伝播を防止するものである。防音壁を形成するのに、一般的に吸音機能を有させるものとしては、多数の開孔を有する前面板とその背後に設けられた背面板とにより形成された中空内に、吸音材が内装された吸遮音パネルが用いられており、遮音機能を有させるものとしては、単なるコンクリート板や、また遮音性の透明板の周囲に金属製の枠体を形成し、遮音機能に加え透視性を具備させた透光性遮音パネルなどが用いられてきている。
【０００３】
【発明が解決しようとする課題】
しかしながら、かかる従来の吸遮音パネルや遮音パネルを用いて形成した防音壁は、一旦設置されてしまうと長期間風雨や車両の排気ガス等に曝されて汚れて見苦しいものとなる。吸遮音パネルや遮音パネルを新たに作製した吸遮音パネル、吸音パネル及び遮音パネルに変更しようとすると、既に設置された吸遮音パネルを撤去廃棄し、新たに作製した吸遮音パネル、吸音パネル及び遮音パネルを設置し直す必要があることから、例えば最下段の吸遮音パネルを変更する場合の如き、支柱から全ての吸遮音パネルを取り外し、最下段の吸遮音パネルのみを変更してその他の吸遮音パネルを施工し直すといった、煩雑な施工が必要となり、また撤去廃棄する吸遮音パネルが無駄となり、更に廃棄物処理の問題も生じることとなる。
【０００４】
更には、この吸遮音パネルや遮音パネルを用いて形成した防音壁は、防音性能に優れるものであってもそれ以外に何ら機能を果たすものではなく、広大な壁面を擁する割にその壁面は有効に活用されていないものである。
【０００５】
本発明は上記の如き問題点に鑑みてなされたものであり、防音壁の外観をリフレッシュでき、方法が容易で、且つ壁面の有効活用に繋がる、防音壁のリフレッシュ方法を提供せんとするものである。
【０００６】
【課題を解決するための手段】
上記目的を達成するために本発明は次のような構成をしている。すなわち、本発明に係わる防音壁のリフレッシュ方法は、防音パネルを用いて形成した防音壁のリフレッシュ方法であって、予め交換可能な取付手段を用いて支持体に取り付けておいた既設の防音パネルを、前記取付手段と共通の取付手段を有する新たなパネルに交換することを特徴とするものである。
【０００７】
本発明によるリフレッシュ方法によれば、次のような効果を期待することができる。すなわち、予め交換可能な取付手段を用いて防音壁を形成しておくことで、防音壁の劣化や老朽化等により既設の防音パネルに交換の必要が生じた場合にも、任意の時期に、必要な箇所の防音パネルを容易に交換し防音壁をリフレッシュすることができる。
【０００８】
また本発明において、支持体は断面Ｈ型であり、前記共通の取付手段は、前記支持体のフランジ間に予め取り付けられたサイドフレームと、相隣る支持体のサイドフレーム間に前面側又は背面側から挿入可能なパネルを前記サイドフレームに脱着可能に固定する固定手段とからなることを特徴とするものである。
【０００９】
また本発明において、新たなパネルとして、大きさや機能等、形態の異なるものを規格化して予め複数種類用意し、既設の防音パネルの設置場所や施主の要望等に応じて、それらの中から適合するパネルを適宜選択し、該選択したパネルを既設の防音パネルと交換するようにすれば、合理的且つ素早くリフレッシュすることができる。
【００１０】
更に本発明において、新たなパネルに、吸音、遮音、透光、情報表示、太陽光発電、道路有害物質の捕集からなる群から選ばれた、少なくとも１つの機能を具備させることで、上述の如き煩雑な施工を必要とすることなく、防音壁の壁面に吸音性、遮音性、透光性、情報の表示、太陽光による発電、道路周辺の有害物質の捕集といった機能を具備させ、その壁面を有効活用することができる。
【００１１】
本発明において、太陽光発電は、両面受光型の太陽電池によりなされるようにすれば、時間の経過によって変化する太陽の位置にかかわらず太陽電池の受光面に太陽光が当たるので発電効率が高まる。更に太陽電池を透明板上に遮光性の太陽電池セルが取り付けられたものとし、該太陽電池セルを透明板の透視性を損なわない程度に設ければ、このパネルによって周囲の景色を透視できると共に、太陽電池による発電電力を周囲の施設に利用することができる。
【００１２】
また本発明において、パネルが捕集する道路有害物質は、道路周辺に不可避に発生し、且つ人体への健康被害が問題視されている窒素酸化物、硫黄酸化物、浮遊粒子状物質からなる群から選ばれた少なくとも１つであることで、防音壁の壁面を道路周辺の環境保全に活用することができ好ましい。
【００１３】
またパネルとして、その外面に酸化チタン等の光触媒が担持されているものを用いれば、太陽光に含まれる紫外線によって光触媒が活性化し、その活性化によって発現された強い酸化力により、空気中の窒素酸化物や硫黄酸化物等は、硝酸や硫酸等に酸化されて除去され、道路環境を向上させることができる。また活性化された光触媒によりパネルの外面を親水化させ、表面に付着した汚れが雨水等により洗い流されるようにすることもできる。このパネルに加え、吸遮音パネルの外面にも光触媒を担持させれば、道路環境の向上や汚れ防止に対してより効果的である。
【００１４】
【発明の実施の形態】
本発明の実施の形態について、図面に基づき以下に具体的に説明する。
図１〜図３は、本発明に係わる実施の一形態を示すもので、図１は防音壁の一例を示す斜視図、図２は防音パネルの取り付けの一例を示す上断面図、図３は、リフレッシュの過程を示す説明図である。
【００１５】
まず図１において、既設の防音パネル１は、立設された断面Ｈ型の支柱である支持体２間に取り付けられて防音壁１０を形成するものである。既設の防音パネル１は高速道路等に一般的に設置されてきているものであり、高い吸音性及び遮音性を有するものであるが、遮光性で、且つ防音機能以外に特に機能を有するものではない。防音壁１０は、かかる防音パネル１を複数段積み上げることで形成されるものであり、上方に更に防音パネル１を積み上げたものでもよく、またその形状は高さ方向に対して垂直でもよく、弯曲状のものでもよい。尚、支持体２は断面Ｈ型のものに限定されず。断面□型や断面コ字型、断面Ｌ字型等であってもよい。
【００１６】
かかる防音壁１０は、周辺住民への配慮を念頭に設置されたものであるが、遮光性のものであることから、周囲の景色は遮られて見えず、道路への光線の入射も妨げられる。従ってこの様な防音壁１０が長い距離に亘って道路に沿って続いた場合は、道路空間の景観が殺風景で変化に乏しくなるので、ドライバーに与える精神的な緊張や圧迫感等の心理的な影響が大きく、心身共に疲労しやすいという問題があり、更には廻りの景色を見る楽しみも半減される。かように従来の防音壁１０は、本来顧客であるべき道路利用者に対しての配慮に欠けるものであった。
【００１７】
図２は、本発明に係わる防音パネルの実施の一形態を示す上断面図で、図１に示した防音壁１０のＡ−Ａ断面図である。支持体２のフランジ間にはサイドフレーム３が溶接、バネ止め等により固着され、防音パネル１は中心材１１と枠材１２とにより構成され、中心材１１に固着された枠材１２により、防音パネル１はサイドフレーム３を介して支持材２に取り付けられている。枠材１２はその一部が開口可能となされ、枠材１２側から取付ボルト１３を、サイドフレーム３内に溶接等により固着されたナット３１に螺着することで、取付ボルト１３及びナット３１が防音パネル１をサイドフレーム３に脱着可能に固定する固定手段となり、もってパネル１は支持体２に固定される。
【００１８】
防音パネル１及び支持体２を用いて防音壁１０を形成するに当たり、予めかかる構造としてボルト１３を外すのみで防音パネル１は支持体２から脱離させることができるようにしておくことで、防音パネル１は相隣る支持体２のサイドフレーム３間に前面側又は背面側から挿入可能となされ、防音壁の劣化や老朽化、陳腐化等により既設の防音パネル１に交換の必要が生じた場合にも、任意の時期に、必要な箇所の防音パネルを容易に交換することができ、例えば最下段の防音パネルのみを交換する場合においても、他の防音パネルも一緒に支柱から外す等の煩雑な手間を要することなく容易に交換し防音壁１０をリフレッシュすることが可能である。
【００１９】
図３は既設の防音パネルを取り外し、種々の機能を有する新たなパネルに交換することでリフレッシュを図るもので、既設の防音パネル１は枠材１２に穿設された貫通孔１４に取付ボルト１３が挿通され、その取付ボルト１３が更に取付手段３に穿設された貫通孔３２に挿通され、その内部のナット３１に螺着されることで、サイドフレーム３を介して支持材２に固定されるものである。新たなパネル１Ａ〜１Ｅについても、枠材１２及び枠材１２に穿設する貫通孔１４を防音パネル１と同様のものとしておき、且つ長手方向の長さを相隣る支持体２のサイドフレーム３間の距離と合致させ、サイドフレーム３に共通に取付可能とすることで取付手段は共通なものとなされる。かくして新たなパネル１Ａ〜１Ｅは規格化されて、既設の防音パネルの設置場所や施主の要望等に応じて、それらの中から適合するパネルを適宜選択し、該選択したパネルを既設の防音パネル１と交換するようにすれば、合理的且つ素早くリフレッシュすることができる。
【００２０】
新たなパネル１Ａは、中心材１１に情報表示の機能が具備されたものである。中心材１１は枠材１２からはみ出すことなく設けることができ、スペースの制約がある箇所においても情報の表示は容易である。かかる情報表示の機能を防音壁１０に具備させることで、防音機能以外特に機能を果たすことのなかった防音壁１０の壁面を有効に活用することができる。尚、中心材１１における情報表示は本実施形態の如き広告に限定されるものではなく、地図、文字情報、名所などの地域情報、また車道側においては交通上の注意喚起を促す情報表示等を行うものであってよい。また表示される情報は、固定されているものでもよく、発光体や可動膜等を用いて可変するものとしてもよい。
【００２１】
また、新たなパネル１Ｂは、中心材１１を窒素酸化物、硫黄酸化物及び浮遊粒子状物質等の道路有害物質の捕集手段としたものである。捕集手段２８は特に限定されるものではないが、光触媒を含有させた被覆層や、光触媒を担持させた多孔質層、前記有害物質を吸着する吸着材などを用いてよい。本実施形態においては、捕集手段２ｃ１を鋸刃状にすることで、表面積の拡大により捕集効率の向上を図っている。かかる中心材１１を用いることで、防音壁１０に道路有害物質の捕集機能を容易に具備させることができ、その壁面は有効に活用される。
【００２２】
また、新たなパネル１Ｃは、中心材１１に吸音性を具備したもの取り付けたもので、既設の防音パネル１の吸音材が劣化し、吸音性能が低下した場合に吸音性能の回復を図ることができる。更には、防音パネル１では吸音性能が不足する場合などに、更に吸音性能の高い吸音材を内装した中心材１１を有する新たなパネル１Ｃを取り付けることで、容易に所望の吸音性能を得ることが可能となる。
【００２３】
また、新たなパネル１Ｄは、中心材１１を透明板により形成された太陽電池モジュールとし、太陽光による発電機能を具備させている。かかる中心材１１とすることで防音壁１０には太陽光による発電機能が具備され、発電された電力を周辺の設備の運用に活用することでエネルギーの節減を図ることができる。中心材１１を形成する太陽電池セル１Ｄ１は、両面受光型ものとし、太陽の方向にかかわらず高い効率で発電が可能なものとしてもよい。
【００２４】
また、新たなパネル１Ｅは、中心材１１に透光性の遮音板を用いたものである。かかる中心材１１を用いることで、防音壁１０には透光性及び透視性が具備され、道路周辺が明るくなって運転者の圧迫感が軽減されると共に、運転者は周囲の景色を楽しむこともできるようになる。
【００２５】
尚、本発明に係わる新たなパネル１Ａ〜１Ｅの外面には、酸化チタン等の光触媒を担持させ、この光触媒を紫外線により活性化させ、その活性化によって発現された強い酸化力におり、周辺の空気中に含まれる汚染物質としての窒素酸化物、硫黄酸化物等を除去させたり、活性化された光触媒により新たなパネル１Ａ〜１Ｅの外面を親水化させ、表面に付着した汚れが雨水等により洗浄されるようにしてもよい。
【００２６】
かかる新たなパネル１Ａ〜１Ｅを用いて防音壁１０を形成することで、種々の機能を防音壁に具備させるのみならず、防音壁１０面の外観に変化を与え、走行中の運転者の視覚を刺激することで単調になりがちな高速道路の運転にアクセントを与え、居眠り運転の防止などにも繋げることができる。
【００２７】
【発明の効果】
本発明によるリフレッシュ方法によれば、次のような効果を期待することができる。すなわち、予め交換可能な取付手段を用いて防音壁を形成しておくことで、防音壁の劣化や老朽化等により既設の防音パネルに交換の必要が生じた場合にも、任意の時期に、必要な箇所の防音パネルを容易に交換し防音壁をリフレッシュすることができる。
【図面の簡単な説明】
【図１】本発明に係わる防音壁の、実施の一形態を示す説明図である。
【図２】本発明に係わる防音壁の、実施の一形態を示す上断面図である。
【図３】本発明に係わる防音壁のリフレッシュ方法の、実施の一形態を示す説明図である。
【符号の説明】
１　　既設の防音パネル
１Ａ、１Ｂ、１Ｃ、１Ｄ、１Ｅ　新たなパネル
１１　中心材
１２　枠材
１３　取付ボルト
１４　貫通孔
２　　支持材
３　　サイドフレーム
３１　ナット
３２　貫通孔
【図１】
2004011358.tif 000003
【図２】
2004011358.tif 000004
【図３】
2004011358.tif 000005